(57)【要約】  本発明は、インフラタブル製品（１００）のカップホルダ（１０２）内に挿入されるライト（２０）に係り、カップホルダライト（２０）は、レンズ（２４）およびハウジング（２２）を有する。一実施形態では、インフラタブル製品のカップホルダ（１０２）、その他のポケット内にライトが配置された場合に、レンズ（２４）が、インフラタブル製品（１００）内部を照射するように配置されている。これにより、カップホルダライト（２０）が点灯されたときにインフラタブル（１００）が光り輝き、夜間使用時において独特の効果がもたらされる。
2009537955.tif 000002
【特許請求の範囲】
【請求項１】
ポケットと、該ポケットに着脱自在に取り付けられたライトとを備える、インフラタブル装置。
【請求項２】
前記ポケットはカップホルダである、請求項１に記載のインフラタブル装置。
【請求項３】
前記ライトは、下部ハウジングと、該ハウジングの上に設置された上部レンズと、該レンズを照射する少なくとも１つのランプとを備える、請求項２に記載のインフラタブル装置。
【請求項４】
前記ライトが前記カップホルダに設置されて、前記ランプが前記レンズを照射したときに、前記レンズが該インフラタブル装置の内側の少なくとも一部を照射するように、前記レンズが配置されている、請求項３に記載のインフラタブル装置。
【請求項５】
前記レンズは，前記カップホルダ内側の少なくとも一部と接触する、請求項４に記載のインフラタブル装置。
【請求項６】
半透明または透明の材料により構成される，請求項４に記載のインフラタブル装置。
【請求項７】
前記レンズの側面を通過した光に照射される、請求項４に記載のインフラタブル装置。
【請求項８】
前記下部ハウジングから前記レンズを貫通して柱が延在する、請求項３に記載のインフラタブル装置。
【請求項９】
前記柱の上面は、前記レンズの上面に露出し、前記柱の上面に、前記少なくとも１つのランプを制御するための操作部が備えられている、請求項８に記載のインフラタブル装置。
【請求項１０】
前記ハウジングと前記レンズのうち少なくとも一方に、ライトの両側において、指当て部として機能する凹部が備えられている、請求項３に記載のインフラタブル装置。
【請求項１１】
前記カップホルダへの挿入を容易とするため、前記ハウジングの下縁が面取り加工されている、請求項３に記載のインフラタブル装置。
【請求項１２】
前記少なくとも１つのランプは、少なくとも１つの発光ダイオードからなる、請求項３に記載のインフラタブル装置。
【請求項１３】
前記ライトは、前記少なくとも１つのランプ用の電源をさらに備え、該電源は前記下部ハウジング内に設置されている、請求項３に記載のインフラタブル装置。
【請求項１４】
前記下部ハウジングと前記上部ランプとがシールされ、前記ライトが防水性を有する、請求項３に記載のインフラタブル装置。
【請求項１５】
前記ライトが浮揚性である、請求項３に記載のインフラタブル装置。
【請求項１６】
前記ライトが浮揚性である、請求項１に記載のインフラタブル装置。
【請求項１７】
前記ライトが防水性を有する、請求項１に記載のインフラタブル装置。
【請求項１８】
前記ライトは、前記ポケット内に設置されて点灯されると、該インフラタブル装置内部の少なくとも一部を照射するように配置され構成されている、請求項１に記載のインフラタブル装置。
【請求項１９】
下部ハウジングと、該ハウジングの上に設置された上部レンズと、該レンズを照射する少なくとも１つのランプとを備える、ライト。
【発明の詳細な説明】
【関連出願の相互参照】
【０００１】
本出願は、２００６年５月１５日出願の米国特許仮出願番号第６０／７４７２５７号に基づく優先権を主張するものであり、当該出願の内容は本明細書に組み込まれている。
【技術分野】
【０００２】
本発明は、空気で膨らませるタイプ（以下、「インフラタブル」と称する。）の製品と共に使用するライトに関する。
【背景技術】
【０００３】
インフラタブル製品は、水を使ったレクリエーションの分野で人気となっている。インフラタブル製品は、種々の形状及び寸法のものがあり、従来の家具と同様の形状のものが多いが、水に浮くように設計されていることもある。例えば、ウォーター・アクティビティに参加する場合には、ラウンジチェア、いかだ、浮きデッキ、その他のインフラタブル製品が使用される。
【発明の概要】
【課題を解決するための手段】
【０００４】
以下、本発明の基本的な理解を図るため、本発明の実施形態の概要について説明する。この概要は、本発明の外延を概観するものではない。本発明の重要／不可欠な要素を特定し、本発明の範囲を定めることは意図されていない。後述の詳細な説明の前に、そこに示される実施形態を概略的に示すことのみを目的とするものである。
【０００５】
一実施形態によれば、インフラタブル製品のカップホルダに挿入されるライトが提供される。このライトは、レンズとハウジングを有する。一実施形態によれば、このライトがインフラタブル製品のカップホルダ、その他のポケット内に置かれたときに、このインフラタブル製品の内部が照射されるように、レンズが配置される。これにより、このライトの点灯により、インフラタブルが光って、夜間使用時に独特の効果がもたらされる。
【０００６】
一実施形態によれば、このライト用のボタンは、ライトのレンズを貫通して延在する。これにより、ハウジングがカップホルダの底に着座したとき、レンズが上を向いた状態でありつつも、使用者がボタンにアクセス可能となる。
【０００７】
本発明のその他の特徴は、以下の詳細な説明および図面の参照により、明らかにされる。
【図面の簡単な説明】
【０００８】
【図１】本発明の一実施形態に係るカップホルダライトの等角斜視図である。
【図２】図１に示したカップホルダライトの平面図である。
【図３】図１に示したライトの側面図である。
【図４】図１のカップホルダライトが本実施形態に係るインフラタブルのカップホルダに設置された状態を示す斜視図である。
【発明を実施するための最良の形態】
【０００９】
以下の説明において、本発明の種々の実施形態が説明される。説明のために、特定の構成および細部について説明され、その実施形態の完全な理解が図れるようになっている。しかしながら、このような詳細な説明がない場合でも、当業者が本発明を実施しうることは明らかである。さらに、実施形態の記述が不明瞭とならないよう、周知の特徴について省略または簡略化する場合がある。
【００１０】
図面を参照して説明するが、各図において、同じパーツについて同一の符号を用いている。図１は、一実施形態に係るカップホルダライト２０である。カップホルダライト２０は、下部ハウジング２２と、該ハウジング上に取り付けられた上部レンズ２４とを有する。
【００１１】
一実施形態において、柱２６が、下部ハウジング２２からレンズ２４を貫通して延在している。柱２６は、レンズ２４の頂部に露出している。オン・オフボタン２８が柱２６の中央に位置している。
【００１２】
図示の実施形態では、カップホルダライト２０は、その対向する両側面に、指当て部３０，３１を有している。下部ハウジング２２はその底部に下部面取り部３２（図３参照）を有し、上部レンズ２４はその上端に上部面取り部３４を有している。
【００１３】
１つ以上のランプが取り付けられており、上部レンズ２４を照射するようになっている。図示の実施形態では、ランプは４個の発光ダイオード（ＬＥＤ）３６であるが、４個より多い、または４個より少ないＬＥＤを使用してもよい。さらに、代替的に、１つ以上の蛍光灯、１つ以上の白熱灯、その他の適切なライト、あるいはこれらランプの任意の組合せも使用可能である。
【００１４】
電池や充電池パックなどの、ＬＥＤ３６用の電源はハウジング内に設けるようにしてよい。一実施形態によれば、下部ハウジング２２と上部レンズ２４とは、防水ケーシングを形成すべくシールされ、これによりライトの電源や内部の部品を損傷することなく、カップホルダライト２０を水中で安全に使用することができる。さらに、一実施形態においては、電源が内蔵されていてもカップホルダライト２０が水に浮くように、下部ハウジング２２及び／または上部レンズ２４の内部に形成されたエアポケットは十分な大きさを持つ。これにより、カップホルダライト２０は、フローティング・ライトとして使用可能となる。代替的に、エアポケットの代わりに、スタイロフォーム（発泡スチロール）のような一体化された浮揚性材料を、カップライトホルダ２０に備えるようにしてもよい。
【００１５】
使用時に、カップホルダライト２０は、フローティング・ラウンジチェアなどのインフラタブル装置１００のカップホルダ１０２（図４）、その他の適切なポケットに挿入される。一使用例として、上部レンズ２４を上に向けた状態で、下部ハウジング２２が最初に挿入される。使用者は、設置時の補助として、指当て部３０，３１を掴むことができる。指当て部３０，３１は、カップホルダライト２０をインフラタブル装置１００のカップホルダ１０２から取り外すためにも使用できる。
【００１６】
カップホルダライト２０が下部ハウジング２２側から設置されると、カップホルダライト２０の上部、すなわち上部レンズ２４がオン・オフボタン２８とともに露出する。上部レンズ２４の側面は、カップホルダ１０２の内壁と接触する。
【００１７】
使用者がオン・オフボタン２８を押すと、ランプ３６が点灯し、上部レンズ２４を照射する。インフラタブル装置１００が半透明または透明な材料でできている場合、上部レンズ２４が照射されると、図４の光線１０４で示したようにインフラタブル装置１００の内部も照らされる。これにより、インフラタブル装置１００が光り輝いているように見え、夜間使用時に面白い効果がもたらされる。図示の実施形態では、インフラタブル装置１００は、上部レンズ２４の側面を通して照らされるが、インフラタブル１００の内部を照らすことができる別の方法で、カップホルダライト２０を設置してもよい。
【００１８】
一実施形態によれば、下部ハウジング２２と上部レンズ２４の外径は、インフラタブル装置の標準的なカップホルダの寸法と一致している。これにより、カップホルダライト２０は インフラタブル装置のカップホルダ（例えばカップホルダ１０２）にぴったりとフィットする。例えば、その外径は６．６ｃｍ（２．６インチ）である。しかしながら、必要に応じて、異なる寸法のカップホルダ用にまたはインフラタブル装置の異なるポケット用に、カップホルダ２０の寸法を定めてもよい。
【００１９】
その他の実施形態についても本発明の技術的思想の範囲内にある。したがって、本発明において、種々の改良や構造の変更は可能であるが、所定の実施形態について図示して詳細に記載している。しかしながら、本発明を特定の形態ないしは開示の形態に限定する意図はなく、特許請求の範囲において規定される本発明の技術的思想および範囲にある、すべての修正、構造の変更、および均等物は、本発明に含められる。
【図１】
2009537955.tif 000003
【図２】
2009537955.tif 000004
【図３】
2009537955.tif 000005
【図４】
2009537955.tif 000006
【国際調査報告】
2009537955.tif 000007
2009537955.tif 000008